(57)【特許請求の範囲】
【請求項１】
ハーフサイズのティッシュボックスを重ね合わせて使用する二段重ねのティッシュペーパーボックスであって、
前記ハーフサイズのティッシュボックスは、板紙を素材として平面視で略正方形に形成すると共に、高さ寸法が略４５〜５０ｍｍの箱体を形成し、該箱体に平面視で略正方形に折り畳んで交互に積層されるハーフサイズのティッシュペーパーを収納し、
前記ハーフサイズのティッシュボックスの上面に設けられたポップアップ口を上方に向けて重ね合わせた状態で上部が開口するシュリンクフィルムでシュリンク包装したことを特徴とする二段重ねティッシュペーパーボックス。
【請求項２】
ハーフサイズのティッシュボックスを重ね合わせて使用する二段重ねのティッシュペーパーボックスであって、
前記ハーフサイズのティッシュボックスは、板紙を素材として平面視で略正方形に形成すると共に、高さ寸法が略４５〜５０ｍｍの箱体を形成し、該箱体に平面視で略正方形に折り畳んで交互に積層されるハーフサイズのティッシュペーパーを収納し、
該ハーフサイズのティッシュボックスを重ね合わせた状態で、上方が開口すると共に底面に押し込み穴が設けられた収納ボックスに収納したことを特徴とする二段重ねティッシュペーパーボックス。
【請求項３】
前記ハーフサイズのティッシュボックスの側面と前記収納ボックスの前面の下方部に其々開口口を設けたことを特徴とする請求項２記載の二段重ねティッシュペーパーボックス。
【発明の詳細な説明】
【技術分野】
【０００１】
ハーフサイズのティッシュペーパーを使用することで使用目的の適用量に見合った引き出し枚数を任意に選択可能とし、ティッシュペーパーの必要以上の消費量の節約が図れると共に、設置スペースの省スペース化を図り、さらに底上げ機能を不要とする二段重ねティッシュペーパーボックスに関する。
【背景技術】
【０００２】
従来から使用されているティッシュペーパーボックスは、横長のティッシュ収納ボックスに折り重ねたティッシュペーパーを収納し、使用時に必要とする分だけ一枚毎に引き出して使用するものであるが、該収納されているティッシュペーパーが、一定の必要以上の大きさで折り重ねられていることから、使用目的の適用量に見合った引き出し枚数を任意に選択することができないといった問題があった。
【０００３】
該ティッシュペーパーの大きさとしては、長辺と短辺の寸法比率が略２：１になるように短辺方向を二つ折りにして交互に折り重ねられた矩形のティッシュペーパーを平面視で略正方形に形成されるハーフサイズのティッシュペーパーに入れ替えることによって、ティッシュペーパーの使用目的の適用量に見合った引き出し枚数を任意に選択可能とし、ティッシュペーパーの必要以上の消費量の節約を図ることや、設置スペースを従来の半分にすることができる改善策が考え得る。
【０００４】
そこで、上記に述べた繰り出し量の適量化を図る提案がなされている。例えば、ティッシュペーパーを略正方形に折り畳んで収納する「ティッシュペーパーの紙折り及び紙組み」（特許文献１）が提案されている。
【０００５】
しかしながら、上記「ティッシュペーパーの紙折り及び紙組み」の提案は、単純に従来の矩形のティッシュペーパーを一旦、略正方形に折り畳んで収納して繰り出し量の適量化を図ろうとするものであるが、該手段は、原反ロール供給工程、重ね合わせ巻き取り工程、折り畳み積み重ね工程、エンボス重合加工を経て連続ロール状に加工される大量生産方式に対して生産効率が著しく劣ることから、現実的な提案とは言い難いものであった。
【０００６】
また、ティッシュペーパー容器の設置面積を小さくして狭い所にも違和感なく設置出来るよう、縦長立方体の形状を持つ「ティッシュペーパー容器」（特許文献２）が提案されている。
【０００７】
しかしながら、上記「ティッシュペーパー容器」の提案は、ティッシュペーパー容器の形状が立方体で底面積が既存ティッシュペーパー容器の半分とするものであるが、ティッシュペーパー容器内に収納されるティッシュペーパーの収容枚数がストッパーによって半減する構造であることから、ティッシュペーパー容器の形状に対してティッシュペーパーの収容枚数が効率よく収納される提案ではなかった。
【０００８】
また、設置面積をとらずに手軽にテーブル上に置くことができるようにすると共に、より一層の省スペース化を実現可能とし、しかも利便性にも富んだ「ティッシュペーパー収納箱」（特許文献３）が提案されている。
【０００９】
しかしながら、上記「ティッシュペーパー収納箱」の提案は、平面視略正方形をなし、その一辺よりも短い高さを有する直方体として形成されると共に、ハーフサイズの大きさに平たく折り畳んだティッシュペーパーを上下に積層して収納する本体と、該本体の上面に配設された第１取り出し口と、該本体の一の側面において、該本体の上面の縁辺部に沿って横長に設けられた第２取り出し口と、を備えて省スペース化と利便性を備えるものであるが、ティッシュペーパー収納箱の高さが略４０〜７５ｍｍの高さを有していることから、略４０ｍｍの高さのものはティッシュペーパーの収納枚数が少なく頻繁に交換する必要があるものであり、略７５ｍｍの高さを有するものは底上げする折り曲げ部の形状ならびに剛性が貧弱である構造であることから、充分な底上げ機能を有するティッシュペーパー収納箱とは言い難い提案であった。
【００１０】
また、従来のティッシュボックスが、高さを抑えてコンパクト化する傾向にあるため、そのコンパクト化に対応し、その長所を有効に活かした「ティッシュペーパーボックス及びティッシュペーパー収納ケース」（特許文献４）が提案されている。
【００１１】
しかしながら、上記「ティッシュペーパーボックス及びティッシュペーパー収納ケース」の提案は、ティッシュボックス及びティッシュボックス収納ケース（以下収納ケースと記述する）の上面部と底面部の両面に、ティッシュボックスの場合には、ミシン目によって切り離し可能な取り出し口を形成し、その両面に形成した取り出し口から中に収納したティッシュペーパーを直接取り出して使用することが可能であり、また収納ケースの場合には、ティッシュボックスを収納可能とする大きさで、上面部と底面部の両面に取り出し開口部が形成された収納ケースであり、特にティッシュボックスが二個同時に収納可能とする大きさで形成した場合には、中に収納するティッシュボックスを上下逆にして二個同時に収納することによって、収納したティッシュボックスのそれぞれの取り出し口と収納ケースの取り出し開口部とが重なる状態になるために、どちらの取り出し開口部からでもティッシュペーパーを取り出し使用可能とするものであるが、ティッシュペーパーの取り出し口を収納ケースの両面に形成した手段を採用している構造であることから、一方のティッシュペーパーの取り出し口を使用している際に他方のティッシュペーパーの取り出し口はテーブルなどの表面に直接接触することとなるため、テーブル上のゴミや調味料、水分などが付着する可能性があり不衛生であるという問題点があると共に、ティッシュペーパーを収納ケース内に収納する手段ならびに構造が明記されておらず、収納ケースを形成する構造が明確でないため、製造段階における製造コストの算出ができない提案であった。
【００１２】
従来より、横長のティッシュペーパーボックスをハーフサイズにすることによって設置スペースの省スペース化を図る提案がなされているが、それらの提案の何れも高さ寸法を略４５〜５０ｍｍの薄型にすると収納枚数の少なさが懸念され、高さ寸法を略９０〜１００ｍｍにすると底上げ機能が必要とされるもので、その両方の問題点を解決することができるハーフサイズのティッシュペーパーボックスは提案されていなかった。
【００１３】
本出願人は、以上のような従来のティッシュペーパーの使用目的の適用量に見合った引き出し枚数が任意に選択することができないという問題点や、設置スペースの省スペース化ならびに底上げ機能を必要とするといった問題点に着目し、その問題点を従来の４５〜５０ｍｍの薄型のティッシュペーパーボックスを使用する状態と同じような状態で使用することができないものかという着想の下、ハーフサイズのティッシュペーパーを使用することで使用目的の適用量に見合った引き出し枚数を任意に選択可能とし、ティッシュペーパーの必要以上の消費量の節約が図れると共に、設置スペースの省スペース化を図り、さらに底上げ機能を不要とする二段重ねティッシュペーパーボックスを開発し、本発明における「二段重ねティッシュペーパーボックス」の提案に至るものである。
【先行技術文献】
【特許文献】
【００１４】
【特許文献１】実開平５-５１１９７号公報
【特許文献２】特開２００６-１０３７９１号公報
【特許文献３】実用新案登録第３１３７９８１号公報
【特許文献４】特開２００２-３０２１７１号公報
【発明の概要】
【発明が解決しようとする課題】
【００１５】
本発明は上記問題点を鑑み、ハーフサイズのティッシュペーパーを使用することで使用目的の適用量に見合った引き出し枚数を任意に選択可能とし、ティッシュペーパーの必要以上の消費量の節約が図れると共に、設置スペースの省スペース化を図り、さらに底上げ機能を不要とする二段重ねティッシュペーパーボックスの提供を図ることを課題とする。
【課題を解決するための手段】
【００１６】
本発明の二段重ねティッシュペーパーボックスは、上記課題を解決するためになされるもので、ハーフサイズのティッシュボックスを重ね合わせて使用する二段重ねのティッシュペーパーボックスであって、前記ハーフサイズのティッシュボックスは、板紙を素材として平面視で略正方形に形成すると共に、高さ寸法が略４５〜５０ｍｍの箱体を形成し、該箱体に平面視で略正方形に折り畳んで交互に積層されるハーフサイズのティッシュペーパーを収納し、前記ハーフサイズのティッシュボックスの上面に設けられたポップアップ口を上方に向けて重ね合わせた状態で、上部が開口するシュリンクフィルムでシュリンク包装した手段を採る。
【００１７】
また本発明の二段重ねティッシュペーパーボックスは、前記ハーフサイズのティッシュボックスを重ね合わせた状態で、上方が開口すると共に底面に押し込み穴が設けられた収納ボックスに収納した手段を採る。
【００１８】
また本発明の二段重ねティッシュペーパーボックスは、前記ハーフサイズのティッシュボックスの側面と前記収納ボックスの前面の下方部に、其々開口口を設けた手段を採る。
【００１９】
また本発明の二段重ねティッシュペーパーボックスは、前記ハーフサイズのティッシュボックスを重ね合わせた状態で伸縮自在の連結バンドで連結した手段を採ることもできる。
【００２０】
また本発明の二段重ねティッシュペーパーボックスは、前記ハーフサイズのティッシュボックスを重ね合わせた状態で接着テープまたは接着剤で連結した手段を採ることもできる。
【発明の効果】
【００２１】
本発明の二段重ねティッシュペーパーボックスによれば、長辺と短辺の寸法比率が略２：１で構成され、且つエンボス重合加工が施された単体を、平面視で略正方形になるように長辺略中間位置にて二つ折りにして交互に折り重ねられたハーフサイズのティッシュペーパーとすることによって、従来と全く同じ使用方法にも係らず使用目的の適用量に見合った引き出し枚数が任意を任意に選択可能とし、ティッシュペーパーの必要以上の消費量の節約が図れると共に、設置スペースの省スペース化を図り、さらに底上げ機能を不要とすることができるといった優れた効果を奏する。
【００２２】
また本発明の二段重ねティッシュペーパーボックスによれば、従来の横長のティッシュペーパーと比較すると、最終使用状態において平面視で略長方形の同じ大きさと高さ（図２の（３）参照：二連口ティッシュペーパーボックスの４重のエンボス重合加工×１枚または２重のエンボス重合加工×２枚と、従来の横長のティッシュペーパーの２重のエンボス重合加工×１枚は、大きさと高さが同一であることから使用感はほぼ同一である）を有して使用されることから、本発明のハーフサイズのティッシュペーパーの方が横長のティッシュペーパーに対してティッシュペーパーの必要以上の消費量の節約が図れるといった優れた効果を奏する。
【００２３】
また本発明の二段重ねティッシュペーパーボックスによれば、ハーフサイズのティッシュボックスを重ね合わせた状態で上方が開口するシュリンクフィルムによってシュリンク包装することにより、従来のティッシュボックスと比較して使用する量が同じであっても設置スペースを半分にすることができるといった優れた効果を奏する。
【００２４】
また本発明の二段重ねティッシュペーパーボックスによれば、ハーフサイズの薄型のティッシュボックスを積み重ねることによって、ハーフサイズのティッシュボックスの底上げが不要になるといった優れた効果を奏する。
【００２５】
また本発明の二段重ねティッシュペーパーボックスによれば、従来の横長のティッシュペーパーの製造方法に対して、大幅な製造手段を変更することなく、単純にハーフサイズのティッシュペーパーをシュリンクフィルムによってシュリンク包装ならびに収納ボックス内に収納するだけで製造することができるため、従来の製造設備の一部を改造することによって生産ラインが組めるといった優れた効果を奏する。
【００２６】
また本発明の二段重ねティッシュペーパーボックスによれば、ティッシュボックスがシュリンクフィルムによってシュリンク包装され若しくは収納ボックスに収納されることによって、丈夫で耐久性に優れ、スペアが常備されていると共に、外観的なデザイン性に優れているなど、多くのメリットを備えているといった優れた効果を奏する。
【００２７】
また本発明の二段重ねティッシュペーパーボックスによれば、初期段階は２個口で使用し、１個目の使用後において単体で使用できることにより、狭い箇所での使用や、プライベート空間ならびに事務用備品として使用することができるといった優れた効果を奏する。
【００２８】
また本発明の二段重ねティッシュペーパーボックスによれば、ティッシュペーパー収納ボックスとして使用される他に、小物入れボックスとしてやゴミ箱として使用できるといった優れた効果を奏する。
【図面の簡単な説明】
【００２９】
【図１】本発明における請求項１記載の二段重ねティッシュペーパーボックスの実施形態を示す説明図である。（実施例１）
【図２】本発明における請求項１記載のハーフサイズのティッシュペーパーと従来のティッシュペーパーの製造工程の違いを示す説明図である。
【図３】本発明における請求項１記載の二段重ねティッシュペーパーボックスの使用状態を示す説明図である。
【図４】本発明における請求項２記載の二段重ねティッシュペーパーボックスの実施形態を示す説明図である。（実施例２）
【図５】本発明における請求項２記載の二段重ねティッシュペーパーボックスの使用状態を示す説明図である。
【図６】本発明における請求項３記載の二段重ねティッシュペーパーボックスの実施形態を示す説明図である。（実施例３）
【図７】本発明における二段重ねティッシュペーパーボックスの別の実施形態を示す説明図である。（実施例４）
【図８】本発明における二段重ねティッシュペーパーボックスの別の実施形態を示す説明図である。（実施例５）
【発明を実施するための形態】
【００３０】
本発明の二段重ねティッシュペーパーボックス１０は、ハーフサイズのティッシュボックス２０を重ね合わせて使用する二段重ねのティッシュペーパーボックス１０であって、ハーフサイズのティッシュペーパー２３を使用することで使用目的の適用量に見合った引き出し枚数を任意に選択可能とし、ティッシュペーパーＴの必要以上の消費量の節約が図れると共に、設置スペースの省スペース化を図り、さらに底上げ機能を不要とする手段を採ったことを最大の特徴とする。以下、本発明に係る二段重ねティッシュペーパーボックス１０の実施形態を、図面に基づいて説明する。
【００３１】
尚、本発明における二段重ねティッシュペーパーボックス１０は、以下に述べる実施例に限定されるものではなく、本発明の技術的思想の範囲内、すなわち同一の作用効果を発揮できる形状及び寸法の範囲内で、適宜変更することができる。
【実施例１】
【００３２】
図1は、本発明における請求項１記載の二段重ねティッシュペーパーボックスの実施形態を示す説明図である。図１（ａ）は分解斜視図を示し、図１（ｂ）は全体斜視図を示し、図１（ｃ）は側断面図を示す。                                                                          
本発明の二段重ねティッシュペーパーボックス１０は、ハーフサイズのティッシュボックス２０を重ね合わせて使用する二段重ねのティッシュペーパーボックスであって、該ハーフサイズのティッシュボックス２０の上面に設けられたポップアップ口２１を上方に向けて重ね合わせた状態で、上部が開口するシュリンクフィルム２４でシュリンク包装して構成される。
【００３３】
ハーフサイズのティッシュボックス２０は、板紙を素材として、平面視で略正方形に形成すると共に、高さ寸法が略４５〜５０ｍｍの箱体を形成し、該箱体に平面視で略正方形に折り畳んで交互に積層されるハーフサイズのティッシュペーパー２３を収納して形成される。
【００３４】
ポップアップ口２１は、ハーフサイズのティッシュボックス２０の上面に設けられ、その周辺に貼着されるプラスチックフィルム（図示なし）は、従来のティッシュペーパーボックスと同様に装着される。
【００３５】
ハーフサイズのティッシュペーパー２３は、長辺Ｌと短辺Ｓの寸法比率が略１：１で構成され、且つエンボス加工や二枚重ね等の重合加工が施された単体を、平面視で略正方形になるように長辺Ｌの略中間位置にて折り畳んで交互に積層されて長辺Ｌ寸法略１１５〜１２０ｍｍ×短辺Ｓ寸法略１１５〜１２０ｍｍ×高さＨ寸法略４５〜５０ｍｍに形成されるもので、本発明のハーフサイズのティッシュペーパー２３を製造するにあったっては、従来のティッシュペーパーＴのカットスパンを裁断工程で約１／２にすることによって形成することができる。
【００３６】
シュリンク包装に使われるシュリンクフィルム２４は、ミシン目２５によって縦方向に切り離される上方が開口するスリーブ状または上下が開口するチューブ状のＰＶＣ(ポリ塩化ビニール)、ＰＰ(ポリプロピレン)、ＰＥ(ポリエチレン)等を素材として形成されるもので、該包装方法としては、横一軸のフィルムを筒状に加工してハーフサイズのティッシュボックス２０に被せ、熱収縮させるキャップシール方法を用いて、チューブ状のフィルムを使用する場合と被せる度合いを一定にするために予備成型（プレフォーム）したフィルムを使用して包装される。
また、横一軸のフィルムをチューブ状に加工し、ハーフサイズのティッシュボックス２０の底面または一部のみに被せて、熱収縮させるラベルシュリンク方法を用いて透明のフィルムと印刷フィルムを使用して包装することもできる。
【００３７】
以上で構成される二段重ねティッシュペーパーボックス１０は、ハーフサイズのティッシュペーパー２０を使用することで使用目的の適用量に見合った引き出し枚数を任意に選択可能とし、ティッシュペーパーＴの必要以上の消費量の節約が図れると共に、設置スペースの省スペース化を図り、さらに底上げ機能を不要とすることができる。
【００３８】
図２は、本発明における請求項１記載のハーフサイズのティッシュペーパーと従来のティッシュペーパーの製造工程の違いを示す説明図である。
《本発明のハーフサイズのティッシュペーパー２３の場合》
（１）原反ロール供給工程、重ね合わせ巻き取り工程、折り畳み積み重ね工程、エンボス重合加工を経て、連続ロール状に加工されて供給される。
（２）次の裁断工程では、長辺Ｌと短辺Ｓの寸法比率が図示されるように平面視で略正方形に裁断され、さらに折り畳んで交互に積層される状態に加工される。
（３）ポップアップ口２１から引き出して使用される場合のハーフサイズのティッシュペーパー２３の形状は、従来のティッシュペーパーＴの場合と同様に、長辺Ｌと短辺Ｓの寸法比率が略２：１の割合の略長方形の大きさで使用される。
【００３９】
《従来のティッシュペーパーＴの場合》
（１）原反ロール供給工程、重ね合わせ巻き取り工程、折り畳み積み重ね工程、エンボス重合加工を経て、連続ロール状に加工されて供給される。
（２）次の裁断工程では、長辺Ｌと短辺Ｓの寸法比率が図示されるように平面視で略長方形に裁断され、さらに折り畳んで交互に積層される状態に加工される。
（３）ポップアップ口２１から引き出されて使用される場合の従来のティッシュペーパーＴの形状は、長辺Ｌと短辺Ｓの寸法比率が略２：１の割合の略長方形の大きさで使用される。
【００４０】
以上のように、本発明のハーフサイズのティッシュペーパー２３と、従来のティッシュペーパーＴを比較すると、最終使用状態において平面視で略長方形の同じ大きさと高さＨ（図２の（３）参照：二段重ねティッシュペーパーボックス１０の４重のエンボス重合加工×１枚または２重のエンボス重合加工×２枚と、従来のティッシュペーパーＴの２重のエンボス重合加工×２枚は、大きさと高さＨが同一であることから使用感はほぼ同一である）を有して使用されることから、従来のティッシュペーパーＴに比して本発明のハーフサイズのティッシュペーパー２３の方が、ハーフサイズのティッシュペーパー２０を使用することで使用目的の適用量に見合った引き出し枚数を任意に選択可能となり、ティッシュペーパーＴの必要以上の消費量の節約が図れると共に、設置スペースの省スペース化を図り、さらに底上げ機能を不要とすることができる。
【００４１】
図３は、本発明における請求項１記載の二段重ねティッシュペーパーボックスの使用状態を示す説明図である。
（1）平面視で略正方形に形成されるハーフサイズのティッシュボックス２０を重ね合わせて上方が開口するシュリンクフィルム２４でシュリンク包装した状態で、上段のハーフサイズのティッシュボックス２０を使用する。
（２）上段のハーフサイズのティッシュボックス２０を使い切った後、シュリンク包装されたシュリンクフィルム２４のミシン目２５を切り取って、下段にあるハーフサイズのティッシュボックス２０を取り出す。
（３）下段にあったハーフサイズのティッシュボックス２０のポップアップ口２１からハーフサイズのティッシュペーパー２３を取り出して、単体の状態で使用する。
【００４２】
以上で構成される本発明の二段重ねティッシュペーパーボックス１０は、ハーフサイズのティッシュペーパー２０を使用することで使用目的の適用量に見合った引き出し枚数を任意に選択可能とし、ティッシュペーパーＴの必要以上の消費量の節約が図れると共に、設置スペースの省スペース化を図り、さらに底上げ機能を不要とすることができる。
【実施例２】
【００４３】
図４は、本発明における請求項２記載の二段重ねティッシュペーパーボックスの実施形態を示す説明図である。図４（ａ）は分解斜視図を示し、図４（ｂ）は全体斜視図を示し、図４（ｃ）は側断面図を示す。
本発明の二段重ねティッシュペーパーボックス１０は、ハーフサイズのティッシュボックス２０を重ね合わせた状態で、上方が開口する収納ボックス２６に収納した形状に形成される。
【００４４】
収納ボックス４０は、紙を素材として上方が開口すると共に底面に押し込み穴２８を設けて貼り合わされて形成されるもので、ハーフサイズのティッシュボックス２０を重ね合わせた状態で収納される形状に形成される。具体的には、長辺Ｌ寸法略１１７〜１２２ｍｍ（内寸）×短辺Ｓ寸法略１１７〜１２２ｍｍ（内寸）×高さＨ寸法略４７〜５２ｍｍ（内寸）で形成される。
【００４５】
押し込み穴２８は、収納ボックス２６の底面に設けられる押し込み用の穴であって、収納ボックス２６に収納されたハーフサイズのティッシュボックス２０を下方から押し上げて取り出すことを可能とする。
【００４６】
図５は、本発明における請求項２記載の二段重ねティッシュペーパーボックスの使用状態を示す説明図である。
（1）平面視で略正方形に形成されるハーフサイズのティッシュボックス２０を重ね合わせて上方が開口する収納ボックス２６に収納した状態で、上段のハーフサイズのティッシュボックス２０を使用する。
（２）上段のハーフサイズのティッシュボックス２０を使い切った後、収納ボックス２６の底面に設けられる押し込み穴２８に指を差し込んで、下段に収納されたハーフサイズのティッシュボックス２０を取り出す。
（３）下段に収納されていたハーフサイズのティッシュボックス２０のポップアップ口２１からハーフサイズのティッシュペーパー２３を取り出して、単体の状態で使用する。
（４）または、新しいハーフサイズのティッシュボックス２０を収納ボックス２６に補充して使用することもできる。このとき、ハーフサイズのティッシュボックス２０単体を数個まとめて梱包し、そこへ収納ボックス２６を1個添付した状態で販売することも可能である。
【００４７】
以上で構成される本発明の二段重ねティッシュペーパーボックス１０は、ハーフサイズのティッシュペーパー２０を使用することで使用目的の適用量に見合った引き出し枚数を任意に選択可能とし、ティッシュペーパーＴの必要以上の消費量の節約が図れると共に、設置スペースの省スペース化を図り、さらに底上げ機能を不要とすることができる。
【実施例３】
【００４８】
図６は、本発明における請求項３記載の二段重ねティッシュペーパーボックスの実施形態を示す説明図である。図６（ａ）は分解斜視図を示し、図６（ｂ）は全体斜視図を示し、図６（ｃ）は側断面図を示す。
本発明の二段重ねティッシュボック１０は、ハーフサイズのティッシュボックス２０の側面２２と収納ボックス２６の前面２７の下方部に、其々開口口２９を設けて形成される。
【００４９】
開口口２９は、ミシン目を押し込むことによって形成される開口部で、ハーフサイズのティッシュボックス２０の側面２２と収納ボックス２６の前面２７の下方部に其々設けられることによって、ハーフサイズのティッシュボックス２０が小物入れボックスやゴミ箱として使用することができる。また、収納ボックス２６の前面２７の下方部に設けられることによって、収納ボックス２６が二重収納ボックスとして多目的に使用することができる。
【００５０】
以上で構成される本発明の二段重ねティッシュペーパーボックス１０は、図示されるようにティッシュペーパー収納ボックスとして使用される他に、デザインされた二重収納ボックスに収納される小物入れボックスやゴミ箱として、多目的に使用することができる。
【実施例４】
【００５１】
図７は、本発明における二段重ねティッシュペーパーボックスの別の実施形態を示す説明図である。図７（ａ）は分離された状態を示し、図７（ｂ）は連結された状態を示す。
本発明における二段重ねティッシュペーパーボックス１０は、ハーフサイズのティッシュボックス２０を重ね合わせた状態で伸縮自在の連結バンド３０で連結して形成される。
【００５２】
連結バンド３０は、伸縮可能なゴムバンド等の伸縮性材料で形成され、ハーフサイズのティッシュボックス２０が重ね合わされた状態で、その境界部に亘って装着することによって連結されるものである。また、ハーフサイズのティッシュボックス２０を重ね合わせた状態で連結バンド３０を上下に回して装着することによって、該ハーフサイズのティッシュボックス２０を束の状態に連結することもできる。なお、ハーフサイズのティッシュボックス２０単体を数個まとめて梱包し、そこへ連結バンド３０を１個添付した状態で販売することも可能である。
【００５３】
以上で構成される本発明の二段重ねティッシュペーパーボックス１０は、ハーフサイズのティッシュペーパー２０を使用することで使用目的の適用量に見合った引き出し枚数を任意に選択可能とし、ティッシュペーパーＴの必要以上の消費量の節約が図れると共に、設置スペースの省スペース化を図り、さらに底上げ機能を不要とすることができる。
【実施例５】
【００５４】
図８は、本発明における二段重ねティッシュペーパーボックスの別の実施形態を示す説明図である。
本発明における二段重ねティッシュペーパーボックス１０は、ハーフサイズのティッシュボックス２０を重ね合わせた状態で接着テープ３１または接着剤３２で連結して形成される。
【００５５】
図８（ａ）は、接着テープ３１を使用した実施形態を示す。
接着テープ３１は、ハーフサイズのティッシュボックス２０が重ね合わされた状態で、その境界部の周縁に沿って接着されることによって連結するものである。また、ハーフサイズのティッシュボックス２０を重ね合わせた状態で接着テープ３１を上下に回して接着することによって、該ハーフサイズのティッシュボックス２０を束の状態に連結することもできる。
【００５６】
図８（ｂ）は、接着剤３２を使用した実施形態を示す。
接着剤３２は、ハーフサイズのティッシュボックス２０が重ね合わされる面同士の数箇所にスポット的に用いられ、これによりハーフサイズのティッシュボックス２０同士が接着されることで連結される。
【００５７】
以上で構成される本発明の二段重ねティッシュペーパーボックス１０は、ハーフサイズのティッシュペーパー２０を使用することで使用目的の適用量に見合った引き出し枚数を任意に選択可能とし、ティッシュペーパーＴの必要以上の消費量の節約が図れると共に、設置スペースの省スペース化を図り、さらに底上げ機能を不要とすることができる。
【産業上の利用可能性】
【００５８】
本発明における二段重ねティッシュペーパーボックスは、従来から日常的に使用されている横長のティッシュペーパーボックスに替わってハーフサイズのティッシュペーパーを使用することで、使用目的の適用量に見合った引き出し枚数を任意に選択可能とし、ティッシュペーパーの必要以上の消費量の節約が図れると共に、設置スペースの省スペース化を図り、さらに底上げ機能を不要とすることができることによって従来に増して生活用品ならびにビジネス用品、工業用消耗品など多分野に亘って広く使用することができるため、本発明における二段重ねティッシュペーパーボックスの産業上の利用可能性は極めて大であるものと解する。
【符号の説明】
【００５９】
１０    二段重ねティッシュペーパーボックス
２０    ハーフサイズのティッシュボックス
２１    ポップアップ口
２２    側面
２３    ハーフサイズのティッシュペーパー
２４    シュリンクフィルム
２５    ミシン目
２６    収納ボックス
２７    前面
２８    押し込み穴
２９    開口口
３０    連結バンド
３１    接着テープ
３２    接着剤
Ｌ    長辺
Ｓ    短辺
Ｈ    高さ
Ｔ    ティッシュペーパー
【要約】      （修正有）【課題】ハーフサイズのティッシュペーパーを使用することで、使用目的に合った引き出し枚数を任意に選択可能とし、ティッシュペーパーの必要以上の消費量の節約が図れると共に、設置スペースの省スペース化を図り、さらに底上げ機能を不要とする二段重ねティッシュペーパーボックスを提供する。【解決手段】ハーフサイズのティッシュボックス２０を重ね合わせて使用する二段重ねのティッシュペーパーボックス１０であって、ハーフサイズのティッシュボックス２０は、板紙を素材として平面視で略正方形に形成すると共に、高さ寸法が略４５〜５０ｍｍの箱体に形成し、該箱体に略正方形に折り畳んで交互に積層されるハーフサイズのティッシュペーパー２３を収納し、該ハーフサイズのティッシュボックス２０の上面に設けられたポップアップ口２１を上方に向けて重ね合わせた状態で、上部が開口するシュリンクフィルム２４でシュリンク包装した手段を採る。【選択図】図１【図１】
0005400240.tif 000002
【図２】
0005400240.tif 000003
【図３】
0005400240.tif 000004
【図４】
0005400240.tif 000005
【図５】
0005400240.tif 000006
【図６】
0005400240.tif 000007
【図７】
0005400240.tif 000008
【図８】
0005400240.tif 000009